(57)【要約】【課題】第１の規格の記録用ディスクにこの第１の規格より冗長度の小さい第２の規格に則った記録データを記録するようにすると、高効率記録が可能となるが、このように高効率記録したディスクと、通常どおり第１の規格に則って標準記録したディスクとの混同が問題となる。【解決手段】第１記録用ディスクと判断された際にはディスク判別手段２０によりこのディスクの記録データが高効率記録モードで記録されたか否かを判断するのに、第１再生系信号処理回路５によりサブコードが正しく検出されているか否かを条件としている。これによりサブコードが規定される第１の規格に則った記録データによって標準記録モードで記録された第１記録用ディスクと、サブコードが規定されていない第２の規格に則った記録データによって高効率記録モードで記録された第１記録用ディスクとを判断するようにしている。【選択図】    図１
2004158100.tif 000002
【特許請求の範囲】
【請求項１】
データフォーマットにサブコードが規定される既存の第１の規格の記録用ディスクフォーマットに対応する第１記録用ディスクに、データフォーマットにサブコードが規定されておらず前記第１の規格よりデータフォーマットの効率が高い第２の規格に準拠するデータフォーマットの第２記録データが記録された高効率記録モードのディスクを再生する光ディスク装置において、前記第１の規格に準拠するデータフォーマットに対応する第１記録データをデコードするべくディスクを読み取った読み取りデータを信号処理する第１再生系信号処理回路と、前記第２の規格に準拠するデータフォーマットに対応する第２記録データをデコードするべくディスクを読み取った読み取りデータを信号処理する第２再生系信号処理回路と、高効率記録モードにより記録された第１記録用ディスクを判別するディスク判別手段とを備え、前記第１再生系信号処理回路はディスクからの読み取りデータからサブコードを分離し、このサブコードを復号する機能を有し、前記ディスク判別手段は第１記録用ディスクと判断された際にこのディスクの記録データが高効率記録モードにより記録されたか否かを判断するのに、前記第１再生系信号処理回路によりサブコードが正しく検出されているか否かを条件として用いていることを特徴とする光ディスク装置。
【請求項２】
前記第１の規格はＣＤ規格であると共に、前記第２の規格はＤＶＤ規格であることを特徴とする請求項１記載の光ディスク装置。
【請求項３】
ディスクに記録中のデータやトラックのディスク情報をセッションをクローズするまでの期間格納するプログラムマネジメントエリアが記録用ディスクフォーマットに規定された第１の規格に対応するディスクの再生を行う光ディスク装置であって、高効率記録モードにより記録された第１記録用ディスクには第１の規格の記録用ディスクフォーマットにおけるプログラムマネジメントエリアにディスク情報とは無関係なデータが記録され、ディスク判別手段は第１記録用ディスクに記録された記録データが高効率記録モードにより記録されたか否かを判断するのに、前記プログラムマネジメントエリアから読み取られるデータを用いることを特徴とする請求項１記載の光ディスク装置。
【発明の詳細な説明】
【０００１】
【発明の属する技術分野】
本発明は、既存の規格のディスクフォーマットに対応のディスクにその規格よりデータフォーマットの効率が高い規格に準拠するデータフォーマットにより高効率に記録データを記録したディスクを再生する光ディスク装置に関し、特に、サブコードが規定される規格の記録用ディスクにサブコードが規定されていない規格のデータフォーマットの記録データが記録されたディスクの判別を行う光ディスク装置に関する。
【０００２】
【従来の技術】
光学ヘッドを用いて光学的に記録・再生を行う光ディスクの規格としては、ＣＤ（Ｃｏｍｐａｃｔ  Ｄｉｓｃ）規格と、ＣＤと同一ディスク径として機構的な互換性を確保した上で更なる大容量のニーズに応えたＤＶＤ（Ｄｉｇｉｔａｌ  Ｖｅｒｓａｔｉｌｅ  Ｄｉｓｃ）規格が知られている。
【０００３】
このＤＶＤに対応するＤＶＤドライブにおいてはＣＤとの上位互換が確保されており、ＣＤの再生が可能となっている。
【０００４】
ところで、記録可能な光ディスクはＣＤ及びＤＶＤの両方式に存在し、ＣＤの記録方式はＣＤ−Ｒ（Ｒｅｃｏｒｄａｂｌｅ）及びＣＤ−ＲＷ（ＲｅＷｒｉｔａｂｌｅ）に統一されているが、ＤＶＤの記録方式は現在のところ種々の規格が乱立し、デファクトスタンダードが確立されていない状況にある。
【０００５】
ディスクに記録可能な記憶容量に関しては、ＣＤに比べてＤＶＤの方が圧倒的に大容量であり、パソコンで扱うファイルのデータ量が増大してきている状況において、ＣＤ−Ｒ及びＣＤ−ＲＷディスクの記憶容量が標準で６５０ＭＢ（メガバイト）と７００ＭＢであることからこの記憶容量では十分でない状況になってきている。
【０００６】
しかしながら、ＣＤ規格の記録方式は先に述べたように統一されており、ＣＤ−Ｒ／ＲＷドライブが普及されているので、ＣＤ−Ｒ及びＣＤ−ＲＷ用の記録系信号処理回路のＬＳＩが安価で出回っていると共に、ＣＤ−Ｒ及びＣＤ−ＲＷ用のディスクが市場に安価で出回っている。
【０００７】
そこで、ＣＤ規格のデータフォーマット、すなわち、ＣＤの変調コード（ＥＦＭ）及び誤り訂正符号（ＥＣＣ）を採用しながら、ディスクに記録するピット及びランドよりなる記録マークの長さを短縮し、規格による線密度よりも高密度化してディスクの記録容量の高容量化を図ることが提案されている（例えば、特許文献１参照。）。
【０００８】
【特許文献１】
特開２０００−２５０６４号公報
【０００９】
【発明が解決しようとする課題】
前述のように既存の規格のデータフォーマットを採用して記録容量の拡大を図ると、市場で出回っている安価な記録系信号処理回路のＬＳＩを使用できると共に、設計が容易であり、また、既存のＣＤ−Ｒ及びＣＤ−ＲＷ用ディスクを使用することが可能である。
【００１０】
しかしながら、フォーマット効率がデータフォーマットにより固定されるので、フォーマット効率を向上させてディスクに高効率記録することが出来ず、ディスクの記録再生に前記規格に適合する波長のレーザービームを用いる場合、ディスク上のレーザースポット径の関係から記録マークの長さを大幅に短縮することが出来ず、十分な高密度化が行えない問題があった。
【００１１】
その為、現行の規格よりもフォーマット効率の高い規格を採用してディスクに高効率記録させることが考えられる。
【００１２】
ところで、ＣＤ規格に比べてＤＶＤ規格のデータフォーマットの方が冗長度が小さくＣＤ規格に比べてＤＶＤ規格はフォーマット効率が高い。
【００１３】
その為、ＣＤ規格の記録用ディスク、ＣＤ−Ｒ及びＣＤ−ＲＷ用ディスクにＤＶＤ規格のデータフォーマットに則った記録データを記録するようにすると、高効率記録が可能となる。
【００１４】
しかしながら、既存のＣＤ−Ｒ及びＣＤ−ＲＷディスクを用いているので、前述のように高効率記録したディスクと、通常どおりＣＤ規格のデータフォーマットに則って標準記録したディスクとが混同し、高効率記録したディスクに誤って標準記録により追記や上書きをしてしまったり、逆に、標準記録したディスクに誤って高効率記録により追記や上書きをしてしまう問題が発生し、あるいはディスク再生が正しく行えないという問題が発生する。
【００１５】
そこで、高効率記録したディスクと標準記録したディスクとを確実に判別する必要がある。
【００１６】
本発明は、上述の問題点に鑑み、サブコードが規定される第１の規格のディスクフォーマットに対応する記録用ディスクに、サブコードが規定されず前記規格よりフォーマット効率が高い第２の規格のデータフォーマットに則って高効率記録されたディスクを確実に判別できるようにした光ディスク装置を提供することを目的とする。
【００１７】
【課題を解決するための手段】
本発明は、データフォーマットにサブコードが規定される第１の規格に準拠するデータフォーマットに対応する記録データをデコードするべくディスクを読み取った読み取りデータを信号処理する第１再生系信号処理回路と、データフォーマットにサブコードが規定されていない第２の規格に準拠するデータフォーマットに対応する記録データをデコードするべくディスクを読み取った読み取りデータを信号処理する第２再生系信号処理回路と、高効率記録モードにより第２の規格に準拠するデータフォーマットの記録データによって記録された第１記録用ディスクを判別するディスク判別手段とを備え、前記第１再生系信号処理回路にディスクからの読み取りデータからサブコードを分離すると共に、このサブコードを復号する機能が設けられ、第１記録用ディスクと判断された際には前記ディスク判別手段によりこのディスクの記録データが高効率記録モードで記録されたか否かを判断するのに、前記第１再生系信号処理回路によりサブコードが正しく検出されているか否かを条件としている。これによりサブコードが規定される第１の規格のデータフォーマットに基づく記録データによって標準記録モードで記録された第１記録用ディスクと、サブコードが規定されていない第２の規格のデータフォーマットに基づく記録データによって高効率記録モードで記録された第１記録用ディスクとを判断するようにしている。
【００１８】
【実施例】
図１は本発明に係る光ディスク装置の一実施例を示す回路ブロック図である。図１の光ディスク装置はＣＤの記録再生及びＤＶＤの再生が行えると共に、ＤＶＤ規格に準拠したデータフォーマットに対応させた記録信号処理及び再生信号処理が行える光ディスクドライブである。
【００１９】
図１において、１はディスクの信号トラックをトレースするレーザービームを出射し、ディスクに対してデータ信号の書き込み及び読み取りを行う光学ヘッドである。この光学ヘッド１は、ＣＤの記録再生に用いる７８０ｎｍの波長のレーザービームを発光する第１レーザーダイオード１ａと、ＤＶＤの再生に用いる６５０ｎｍの波長のレーザービームを発光する第２レーザーダイオード１ｂとを光源として備え、各レーザーダイオード１ａ，１ｂからそれぞれ発光されるレーザービームを２焦点の対物レンズ（図示せず）を介してＣＤ及びＤＶＤの各ディスクに照射する構成となっている。
【００２０】
２は光学ヘッド１から発生される各種受光出力を用いてディスクから読み取られるデータ信号のＲＦ信号（ラジオ周波信号）を生成し、そのＲＦ信号を最適レベルにゲインコントロールすると共に、各ディスクに応じてイコライジングして２値データ化し、かつ、光学ヘッド１からディスクに照射されるレーザービームのディスク信号面とのフォーカスずれを示すフォーカスエラー信号、及び前記レーザービームのディスクの信号トラックとのトラッキングずれを示すトラッキングエラー信号を生成するフロントエンド処理回路である。
【００２１】
３は前記フォーカスエラー信号に応じてメインビームをディスクの信号面に合焦させるフォーカス制御、及び前記トラッキングエラー信号に応じてメインビームをディスクの信号トラックに追従させるトラッキング制御を行うと共に、光学ヘッド１自体をディスクの径方向に送るスレッド送り制御を行うヘッドサーボ回路である。
【００２２】
４はフロントエンド処理回路２によりＣＤ方式の記録用ディスク（ＣＤ−Ｒ，ＣＤ−ＲＷ）のプリグルーブ（Ｐｒｅ−ｇｒｏｏｖｅ）から抽出されるウォブル（ｗｏｂｂｌｅ）信号から時間情報アドレスのＡＴＩＰ（Ａｂｓｏｌｕｔｅ  Ｔｉｍｅ  Ｉｎ  Ｐｒｅ−ｇｒｏｏｖｅ）アドレスを復調するＡＴＩＰデコーダである。
【００２３】
５はフロントエンド処理回路２から出力されるディスクの読み取りデータをＣＤ規格で規定されたデータフォーマットに対応してデコード処理を行うＣＤ用デコーダである。ＣＤ規格は変調コードとしてＥＦＭ（Ｅｉｇｈｔ  ｔｏ  Ｆｏｕｒｔｅｅｎ  Ｍｏｄｕｌａｔｉｏｎ）を採用し、誤り訂正符号としてＣＩＲＣ（Ｃｒｏｓｓ  Ｉｎｔｅｒｌｅａｖｅｄ  Ｒｅｅｄ−Ｓｏｌｏｍｏｎ  Ｃｏｄｅ）を採用しているので、前記ＣＤ用デコーダ５はこれらの変調コード及び誤り訂正符号に基づくデコード処理を行う。
【００２４】
また、ＣＤ規格にはメインデータとは別に制御用及びディスプレイ用に用いられるサブコードが規定されており、前記ＣＤ用デコーダ５はディスクを読み取った読み取りデータからサブコードを分離すると共に、このサブコードを復号するサブコード分離・復号手段６を備えている。
【００２５】
７はフロントエンド処理回路２から出力されるディスクの読み取りデータをＤＶＤ規格のデータフォーマットに対応してデコード処理するＤＶＤ用デコーダである。ＤＶＤ規格は変調コードとしてＥＦＭ−Ｐｌｕｓ（８−１６）を採用し、誤り訂正符号としてＲＳ（Ｒｅｅｄ−Ｓｏｌｏｍｏｎ）  Ｐｒｏｄｕｃｔ−Ｃｏｄｅを採用しているので、前記ＤＶＤ用デコーダ６はこれらの変調コード及び誤り訂正符号に基づくデコード処理を行う。
【００２６】
８は接続端子９を介して接続されるパソコン等のホスト機器とのデータの受け渡しを制御するインタフェースである。
【００２７】
１０はインタフェース８を介して入力される入力データをＣＤ規格のデータフォーマットに基づくエンコード処理を行い、そのデータフォーマットに則ったデータ構造のＣＤデータを生成するＣＤ用エンコーダである。
【００２８】
１１はインタフェース８を介して入力される入力データをＤＶＤ規格のデータフォーマットに基づくエンコード処理を行い、そのデータフォーマットに則ったデータ構造のＤＶＤデータを生成するＤＶＤ用エンコーダである。
【００２９】
１２はインタフェース８により入力される入力データを一時記憶し、ＣＤ用エンコーダ１０及びＤＶＤ用エンコーダ１１によってエンコード処理する際に使用されると共に、ＣＤ用デコーダ５及びＤＶＤ用デコーダ７によってデコード処理する際に使用され、かつ、デコード処理された後の再生データが蓄えられるＲＡＭ、１３は該ＲＡＭ１２の書き込み及び読み出しを制御するメモリコントローラ、１４ディスクの記録及び再生に係るシステム全般の制御を行うシステム制御マイコンである。
【００３０】
１５はＣＤ−Ｒ及びＣＤ−ＲＷの各ディスクの記録特性を考慮してディスクに最適な記録が行われるように光学ヘッド１の発光出力を制御するライトストラテジ回路、１６はＣＤ及びＤＶＤの再生時においてフロントエンド処理回路２に含まれるＡＰＣ（Ａｕｔｏｍａｔｉｃ  Ｐｏｗｅｒ  Ｃｏｎｔｒｏｌ）回路（図示せず）に応じて第１レーザーダイオード１ａ及び第２レーザーダイオード１ｂを駆動すると共に、記録時においてライトストラテジ回路１５から発生されるパルス信号に応じて光学ヘッド１の第１レーザーダイオード１ａを駆動するレーザー駆動回路である。
【００３１】
１７はディスクを回転駆動するスピンドルモータ、１８は該スピンドルモータ１７を駆動するモータ駆動回路、１９は該モータ駆動回路１８を制御するモータ制御回路である。該モータ制御回路１９は、ディスクに記録されたデータ信号から抽出される同期信号及びビットクロックを用いて、あるいはＡＴＩＰデコーダ４により復調されるＡＴＩＰ信号と同期をとって線速度一定方式で回転制御することが出来ると共に、スピンドルモータ１７の回転に応じて発生するパルス信号を用いて角速度一定方式で回転制御可能となっている。
【００３２】
このように構成される図１の光ディスク装置は、ＣＤ及びＤＶＤの再生が可能であると共に、ＣＤ−Ｒ及びＣＤ−ＲＷの各ディスクにＣＤ規格に準拠する標準記録モードの記録が可能であり、かつ、ＣＤ−Ｒ及びＣＤ−ＲＷの各ディスクにＤＶＤのデータフォーマットに基づくデータを記録する高効率記録モードの記録が行えるようになっている。
【００３３】
尚、記録用ＤＶＤディスクを用いた純粋なＤＶＤ記録に対応させていないが、この純粋なＤＶＤ記録に対応させた光ディスク装置とすることも当然可能である。
【００３４】
最初に、ＣＤ−Ｒ／ＲＷのディスクフォーマットについて説明する。
【００３５】
ＣＤ−Ｒ／ＲＷディスクは、図２に示す如く、ディスクの内周側からＰＣＡ（Ｐｏｗｅｒ  Ｃａｌｉｂｒａｔｉｏｎ  Ａｒｅａ），ＰＭＡ（Ｐｒｏｇｒａｍ  Ｍｅｍｏｒｙ  Ａｒｅａ），リードインエリア，プリギャップエリア，プログラムエリア及びリードアウトエリアが形成される。
【００３６】
ＰＣＡは試し書きを行うテストエリアと試し書きが行われた回数を記憶するカウンタエリアとを備え、ＰＭＡはディスクに記録中のデータやトラックのディスク情報をセッションをクローズするまでの一時的な期間格納する領域として使用し、リードインエリアにはセッションのクローズ時にＴＯＣ（Ｔａｂｌｅ  Ｏｆ  Ｃｏｎｔｅｎｔｓ）としてＰＭＡに格納されているディスク情報が記録される。
【００３７】
ところで、高効率記録モードの場合、ＣＤ−Ｒ／ＲＷのディスクフォーマットと相違する特別のディスクフォーマットが採用される。
【００３８】
この高効率記録モードのディスクフォーマットは、図３に示す如く、ディスクの内周側から順にＰＣＡ，フォーマットエリア，ＰＭＡ（含むＴＯＣエリア）  ，プログラムエリア及びリードアウトエリアが形成される。
【００３９】
このディスクフォーマットにおいては、通常（標準記録モード）のＣＤ−Ｒ／ＲＷのディスクフォーマットをカッコ内に示し対比させると、ＰＣＡがそのままＰＣＡで、フォーマットエリアがＰＭＡ，ＰＭＡ  （含むＴＯＣエリア）がリードインエリアにそれぞれ設けられている。
【００４０】
この高効率記録モードのディスクフォーマットの場合、ＣＤ−Ｒ／ＲＷのディスクフォーマットのリードインエリアがＴＯＣエリアを含むＰＭＡとして使用され、このＰＭＡにＣＤにおけるＴＯＣデータとしての役割も担うＰＭＡデータ（ＰＭＤ）をメインチャンネルに記録し、このＰＭＡデータがディスク記録のクローズ後にＴＯＣデータに相当するデータ（ＰＭＤ）として使用される。（この場合、ＰＭＡデータのリードインが先頭に形成される。）
前記フォーマットエリアは高効率記録モードによる記録を行わせるべくディスクフォーマットする際にこの高効率記録モードに専用のフォーマットコマンドによってＰＭＡに無関係な特定データが全域に渡ってパディングされ、この特定データは例えば全て「０」によって構成されたり、あるいは製造者識別コード、モデル番号、シリアル番号及び高効率記録モードのディスクフォーマットを示すコード等のデバイス情報データによって構成される。
【００４１】
次に、図１に示す光ディスク装置の使用ディスクの判別方法について図４に示すフローチャートを用いて説明する。このディスク判別はシステム制御マイコン１４内に備える機能のディスク判別手段２０により実行される。
【００４２】
ディスクが装着されると、まず光学ヘッド１の第１レーザーダイオード１ａがレーザー駆動回路１４により基準の再生レベルとするべく駆動され、その際のディスクからの反射光量レベルに応じてＣＤ−Ｒ及びＣＤ−ＲＷの記録用ＣＤディスクを判断する（ステップａ）。
【００４３】
この判断により記録用ＣＤディスクでないと判断された場合、ピットが形成されている再生専用ＣＤディスク、あるいはＤＶＤディスクと判定する（ステップｂ）。
【００４４】
記録用ＣＤディスクと判断された場合、光学ヘッド１の第１レーザーダイオード１ａから発光されるレーザー出力がレーザー駆動回路１６によりディスクからの反射光量レベルに応じて最適に設定されてディスクのウォブルからＡＴＩＰ信号の読み取りが行われる（ステップｃ）。
【００４５】
そして、記録用ＣＤディスクのディスクフォーマット上のＰＣＡ領域、ＰＭＡ領域を順次アクセスし、これらの領域の信号検出を順次行う（ステップｄ，ｅ）。
【００４６】
その後、フロントエンド処理回路２により２値データ化されたディスクからの読み取りデータがＣＤ用デコーダ５に供給され、サブコード分離・復号手段６によりその読み取りデータからサブコードの分離が試みられる。
【００４７】
サブコード分離・復号手段６は、フロントエンド処理回路２により出力されるデータがＣＤ規格のデータフォーマットに基づくＥＦＭデータである場合、このＥＦＭデータからサブコードを分離し、この分離したサブコードの復号を行う。そして、このサブコードの復号処理の際にサブコード分離・復号手段６はＣＲＣ（Ｃｙｃｌｉｃ  Ｒｅｄｕｎｄａｎｃｙ  Ｃｏｄｅ）チェックによりサブコードのＱチャンネルデータが正しく検出できているときにはその旨を示す検出信号が発生されるようになっている。その為、この検出信号の有無によりサブコードの復号が正しく行われているか否かが判断可能となっている。
【００４８】
ステップｅでＰＭＡ領域の信号検出が行われる際に所定期間内に前記検出信号が発生される回数が所定回数以上あるか否かによりサブコードが正しく復号されているか否かが判断される（ステップｆ）。
【００４９】
これによりサブコードが正しく復号されていると判断された場合、標準記録モードによる記録が行われたディスクと判定される（ステップｇ）。
【００５０】
高効率記録モードにより記録されたディスクは、ＤＶＤ規格のデータフォーマットに基づくエンコード処理により生成される記録データがディスクに記録されることになり、ＤＶＤ規格のデータフォーマットにおいてはサブコードが規定されていないので、サブコードが存在するデータはＤＶＤ規格のデータフォーマットに基づくデータでないことが判断される。
【００５１】
サブコードが正しく復号されているか否かの判断によりサブコードが正しく復号されていないと判断されると、次に、フロントエンド処理回路２からデータが出力されているか否かによってＰＭＡ領域にデータが存在するか否かが判断され（ステップｈ）、この判断でデータが存在しないと判断された場合、未記録ディスクと判定される（ステップｉ）。
【００５２】
一方、ＰＭＡ領域にデータが存在すると判断されると、ＰＭＡ領域のデータを読み込み（ステップｊ）、次に、高効率記録モードによるＰＭＡに則った復調を試みてデータ判読の可否を判断する（ステップｋ）。
【００５３】
この判断によりデータの判読が可能でＰＭＡに関係するデータと判断された場合、高効率記録モードによる記録が行われたディスクと判定し（ステップｌ）、一方、データの判読が不可でＰＭＡに無関係なデータと判断された場合に高効率記録モードによる記録が行われたディスクでないとして対象外ディスクと判定する（ステップｍ）。
【００５４】
これにより装着されたディスクが高効率記録モードによる記録が行われたディスクと判定された場合、及び未記録ディスクと判定された場合、このディスク判定の信号がインタフェース８を介して出力端子９に接続されるホスト機器に通知され、ホスト機器により高効率記録モードによる記録が可能と判断される。
【００５５】
一方、装着されたディスクが標準記録モードによる記録が行われたディスクと判定された場合、及び未記録ディスクと判定された場合、このディスク判定の信号がホスト機器に通知され、ホスト機器により標準記録モードによる記録が可能と判断される。
【００５６】
次に、標準記録モードによる記録について説明する。
【００５７】
図４のフローチャートに示す処理により標準記録モードによる記録が可能と判断された場合、出力端子９に接続されるホスト機器により標準記録モードによる記録を行う設定が可能となる。
【００５８】
その為、標準記録モードによる記録設定を行うと、ホスト機器は標準記録モードに対応して光ディスク装置を制御する制御コマンドの発生やコマンド動作手順が設定される状態となる。
【００５９】
ホスト機器から記録コマンドが送信され、光ディスク装置に標準記録モードによるディスクへの記録が要求されると、その要求に応じて記録用ＣＤのディスクフォーマットに対応してディスク記録を実行する体制が整えられるべく、システム制御マイコン１４により各回路が通常記録モードのディスク記録を行う状態に切り替えられ、ＣＤ用エンコーダ１０を使用する記録信号処理系が選択される。
【００６０】
また、ディスク記録が行われる標準記録モード及び判別されたディスクの種別に応じてフロントエンド処理回路２、ヘッドサーボ回路３、ライトストラテジ回路１５及びレーザー駆動回路１６はディスク記録に適合した動作を行うように設定が切り替えられる。
【００６１】
また、ホスト機器から送信される記録コマンドにより要求された記録速度により記録動作を行うべくモータ制御回路１９はシステム制御マイコン１４により設定される記録速度に対応する回転速度でディスクを駆動するべくモータ駆動回路１８を制御する。
【００６２】
そして、ライトストラテジ回路１５は、設定される記録速度に対応して光学ヘッド１の第１レーザーダイオード１ａの発光出力をその記録速度に適合するあらかじめ決められた記録レベルに設定するべくレーザー駆動回路１６を制御する。
【００６３】
ディスクへの記録が開始される前に、ＡＴＩＰ情報を用いてディスクのＰＭＡが検索され、そのＰＭＡのデータを読み取り、セッションのクローズが行われていないことの確認を行うと共に、ディスク情報のデータを取得し、ディスク記録が可能か否か、及び記録を行えるアドレスを把握する。
【００６４】
また、設定された記録速度において、ディスクのＰＣＡに発光出力を段階的に変化させて試し書きが行われ、再生した際の誤り率を最少とするべく光学ヘッド１の発光出力が最適記録レベルに設定される。
【００６５】
このようなディスク記録の準備が完了した状態で、記録を要求するコマンド及びデータがインタフェース８を介して受信されると、記録が要求されたデータがメモリコントローラ１３の制御の基にＲＡＭ１２に書き込まれる。
【００６６】
ＲＡＭ１２に書き込まれたデータの備蓄量がエンコード処理を開始するデータ容量に達すると、メモリコントローラ１３の制御によりＲＡＭ１２からデータが読み出され、このデータがＣＤ用エンコーダ１０に入力される。システム制御マイコン１４の制御の基にＣＤ用エンコーダ１０が動作し、ＣＤ用エンコーダ１０は前記データをエンコード処理し、ＣＤ規格のデータフォーマットに則ったデータ構造のＣＤデータを生成する。
【００６７】
このＣＤデータはライトストラテジ回路１５に供給され、ライトストラテジ回路１５は記録ディスクに応じてＣＤ−ＲあるいはＣＤ−ＲＷの記録特性を考慮し、ＰＣＡにおける試し書きにより設定された最適記録レベルでディスク記録が行えるようにＣＤデータに基づく記録パルスを発生する。これにより光学ヘッド１の第１レーザーダイオード１ａが駆動され、記録パルスに応じてディスクに前記ＣＤデータに基づく記録マークが形成されてディスクに記録データが記録される。
【００６８】
次に、ＣＤ−Ｒ及びＣＤ−ＲＷの各ディスクにＤＶＤのデータフォーマットに対応したデータを記録する高効率記録モードの記録動作について説明する。
【００６９】
図４のフローチャートに示す処理により高効率記録モードによる記録が可能と判断された場合、出力端子９に接続されるホスト機器により高効率記録モードによる記録を行う設定が可能となる。
【００７０】
その為、高効率記録モードによる記録の設定を行うと、ホスト機器は高効率記録モードに対応して光ディスク装置を制御する制御コマンドの発生やコマンド動作手順が設定される状態となる。
【００７１】
ホスト機器から記録コマンドが送信され、光ディスク装置に高効率記録モードによるディスクへの記録が要求されると、その要求に応じて記録用ＣＤのディスクフォーマットに対応してディスク記録を実行する体制が整えられるべく、システム制御マイコン１４により各回路が高効率記録モードのディスク記録を行う状態に切り替えられ、ＤＶＤ用エンコーダ１１を使用する記録信号処理系が選択される。
【００７２】
また、ディスク記録が行われる高効率記録モード及び判別されたディスクの種別に応じてフロントエンド処理回路２、ヘッドサーボ回路３、ライトストラテジ回路１５及びレーザー駆動回路１６はディスク記録に適合した動作を行うように設定が切り替えられる。
【００７３】
また、標準記録モードと同様に、要求された記録速度により記録動作を行うべくモータ制御回路１９はシステム制御マイコン１４により設定される記録速度に対応する回転速度でディスクを駆動するべくモータ駆動回路１８を制御し、そして、ライトストラテジ回路１５は、設定される記録速度に対応して光学ヘッド１の第１レーザーダイオード１ａの発光出力をその記録速度に適合するあらかじめ決められた記録レベルに設定するべくレーザー駆動回路１６を制御する。
【００７４】
ところで、高効率記録モードに対応するディスクフォーマットでは図３に示す如く、ＰＭＡが記録用ＣＤのディスクフォーマットにおけるリードインエリアに位置するので、この位置を検索してＰＭＡデータを読み取り、標準記録モードと同様に、セッションのクローズが行われていないことの確認を行うと共に、ディスク情報のデータを取得し、ディスク記録が可能か否か、及び記録を行えるアドレスを把握する。
【００７５】
また、設定された記録速度において、高効率記録モードのディスクフォーマットに対応させてディスクのＰＣＡに発光出力を段階的に変化させて試し書きが行われ、再生した際の誤り率を最少とするべく光学ヘッド１の発光出力が最適記録レベルに設定される。
【００７６】
この高効率記録モードの場合、特開２００２−５６６１７号に示すように、ＡＴＩＰのアドレスに基づいて記録密度倍の実記録アドレスを算出し、この実記録アドレスに基づいて単位ごとにデータを記録して単位期間当たりの記録密度を上げることが行われる。この場合、記録密度が標準密度のあらかじめ設定されるｎ倍（ｎ＞１）とすると、実記録アドレスはＡＴＩＰのアドレスのｎ倍に対応する。
【００７７】
このようなディスク記録の準備が完了した状態で、記録を要求するコマンド及びデータがインタフェース８を介して受信されると、記録が要求されたデータがメモリコントローラ１３の制御の基にＲＡＭ１２に書き込まれる。
【００７８】
ところで、高効率記録モードによる記録を行う場合、ディスクに記録されるデータの記録形態をＣＤ及びＤＶＤのいずれに設定するかの選択が行われ、この選択に応じてホスト機器によるディスク記録に係わる制御処理形態がＣＤの記録形態に則ったものとなるのかＤＶＤの記録形態に則ったものとなるのか設定される。
【００７９】
その為、ホスト機器は選択された記録形態に則った動作手順により作動し、制御コマンドを発生する。
【００８０】
インタフェース８を介して受信されたデータがＲＡＭ１２に書き込まれ、ＲＡＭ１２のデータ備蓄量がエンコード処理を開始するデータ容量に達すると、ＲＡＭ１２からデータが読み出され、ＤＶＤ用エンコーダ１１はこのデータをエンコード処理し、ＤＶＤ規格のデータフォーマットに則ったデータ構造のＤＶＤデータを生成する。
【００８１】
このＤＶＤデータはライトストラテジ回路１５に供給され、ライトストラテジ回路１５は記録ディスクに応じてＣＤ−ＲあるいはＣＤ−ＲＷの記録特性を考慮し、ＰＣＡにおける試し書きにより設定された最適記録レベルでディスク記録が行えるようにＤＶＤデータに基づく記録パルスを発生する。これにより光学ヘッド１の第１レーザーダイオード１ａが駆動され、記録パルスに応じてディスクに前記ＤＶＤデータに基づく記録マークが形成されてディスクに記録データが記録される。
【００８２】
ここで、ＤＶＤ規格のデータフォーマットはＣＤ規格のデータフォーマットに比べ冗長度が小さく、これらのデータフォーマットの冗長度の違いからＤＶＤ規格のデータフォーマットはＣＤ規格のデータフォーマットに対してフォーマット効率が１．４９倍となる。
【００８３】
また、高効率記録モードの場合、先に述べた如く、ディスクに記録される記録データの実記録アドレスがＡＴＩＰのアドレスに比べてｎ倍（ｎ＞１）になされ、同一トラックピッチとしながらディスクに記録される記録データの線記録密度の向上が図られている。
【００８４】
この場合、ＣＤに適合する７８０ｎｍの波長のレーザービームを使用していることから大幅な線記録密度の向上は図れないが、ＣＤ記録用の安価な光学ヘッドを用いることが出来、また、ＣＤに比べてフォーマット効率の向上が図られているので、線記録密度の向上をＣＤの１．３５倍とすると、フォーマット効率の１．４９倍と合わされて１．３５×１．４９＝２．０１倍と高効率記録モードは標準記録モードの約２倍の記録密度で記録が行える。
【００８５】
次に、ディスク再生について説明する。
【００８６】
ホスト機器から送信される再生コマンドよりディスク再生が要求されると、システム制御マイコン１４により各回路がディスク再生を行う状態に切り替えられ、この際、ディスク装着時のディスク判別によって判別されたディスク種別に対応したディスク再生の体制を整えるべくフロントエンド処理回路２、ヘッドサーボ回路３及びレーザー駆動回路１６は再生する種類のディスクに適合した動作を行うように設定が切り替えられると共に、光学ヘッド１の使用するレーザーダイオード及び使用するデコーダが切り替えられる。
【００８７】
ディスク判別により装着されたディスクが再生専用ＣＤであると判断された場合、レーザー駆動回路１６により光学ヘッド１の第１レーザーダイオード１ａがディスクの種別に対応した再生に適した発光出力に設定されて駆動され、光学ヘッド１によりディスクＤの読み取りが行われる。
【００８８】
このディスクＤからの読み取り信号はフロントエンド処理回路２によりＣＤに適した信号処理が行われ、ＲＦ信号を２値化してＣＤデータを生成する。このＣＤデータはメモリコントローラ１３による制御でＲＡＭ１２に記憶され、ＲＡＭ１２に記憶されたＣＤデータはエラー訂正を行う単位（３２ｋバイト）ごとにＣＤ用デコーダ５によりデコード処理される。
【００８９】
一方、フロントエンド処理回路２により生成されるフォーカスエラー信号及びトラッキングエラー信号はＣＤに適した処理により生成されてヘッドサーボ回路３に供給される。
【００９０】
ＣＤ用デコーダ５によりデコード処理されたＣＤデータは、ＣＤ規格のデータフォーマットに対応して復調されてホスト機器の要求データとなる。
【００９１】
次に、装着されたディスクがＤＶＤであると判断された場合について説明する。
【００９２】
この場合、レーザー駆動回路１６により光学ヘッド１の第２レーザーダイオード１ｂがディスクの種別に対応した再生に適した発光出力に設定されて駆動され、光学ヘッド１によりディスクＤの読み取りが行われる。
【００９３】
このディスクＤからの読み取り信号はフロントエンド処理回路２によりＤＶＤに適した信号処理が行われ、ＲＦ信号を２値化してＤＶＤデータを生成する。このＤＶＤデータはメモリコントローラ１５による制御でＲＡＭ１２に記憶され、ＲＡＭ１２に記憶されたＤＶＤデータはエラー訂正を行う単位（３２ｋバイト）ごとにＤＶＤ用デコーダ７によりデコード処理される。
【００９４】
一方、フロントエンド処理回路２により生成されるフォーカスエラー信号及びトラッキングエラー信号はＤＶＤに適した処理により生成されてヘッドサーボ回路３に供給される。
【００９５】
ＤＶＤ用デコーダ７に供給されたＤＶＤデータは、このＤＶＤ用デコーダ７によりＤＶＤ規格のデータフォーマットに対応するデコード処理により復調されてホスト機器の要求データとなる。
【００９６】
このデータは必要に応じてＲＡＭ１２に一時記憶された後、インタフェース８を介して接続端子９に接続されるホスト機器に供給される。
【００９７】
次に、装着されたディスクが記録用ＣＤディスクと判断された場合について説明する。
【００９８】
光ディスク装置は、高効率記録モードのディスクフォーマットに対応した手順でディスクＤの読み取りが行われる。
【００９９】
光学ヘッド１は、レーザー駆動回路１６により第１レーザーダイオード１ａがディスクの種別に対応した再生に適した発光出力に設定されて駆動される。
【０１００】
光学ヘッド１によりディスクＤから読み取られる読み取り信号はフロントエンド処理回路２によりＤＶＤに適した信号処理が行われ、ＲＦ信号を２値化してＤＶＤデータを生成する。このＤＶＤデータはメモリコントローラ１３による制御でＲＡＭ１２に記憶され、ＲＡＭ１２に記憶されたＤＶＤデータはエラー訂正を行う単位（３２ｋバイト）ごとにＤＶＤ用デコーダ７によりデコード処理される。
【０１０１】
一方、フロントエンド処理回路２により生成されるフォーカスエラー信号及びトラッキングエラー信号は記録用ＣＤに適した処理により生成されてヘッドサーボ回路３に供給される。
【０１０２】
ＤＶＤ用デコーダ７に供給されたＤＶＤデータは、このＤＶＤ用デコーダ７によりＤＶＤ規格のデータフォーマットに対応するデコード処理により復調されてホスト機器の要求データとなる。
【０１０３】
このデータは必要に応じてＲＡＭ１２に一時記憶された後、インタフェース８を介してホスト機器に供給される。
【０１０４】
ここで、ホスト機器はディスクＤに記録された記録形態に応じた再生機能が作動し、記録形態に基づいた再生処理が実行されるので、ホスト機器に転送されたデータは記録形態がＣＤに基づく場合であってもＤＶＤに基づく場合であっても正しく再生処理される。
【０１０５】
ところで、高効率記録モードによる記録が行われた記録用ＣＤディスクが既存の記録用ＣＤ規格に対応するＣＤ−Ｒ／ＲＷドライブに装着された場合においては、ディスク装着時に記録用ＣＤディスクと判断されると、ＰＭＡの取得が行われるが、この際ＰＭＡのデータが満杯であって取得されるデータの判読が行えないので、異常ディスクとしてエラー処理される。
【０１０６】
尚、図１において、ＣＤ用デコーダ５、ＤＶＤ用デコーダ７、ＣＤ用エンコーダ１０及びＤＶＤ用エンコーダ１１は説明の便宜上別ブロックにて示されているが、一般にこれら全ての回路が組み込まれたＬＳＩを用いて構成される。
【０１０７】
【発明の効果】
以上の如く、本発明によれば、ディスクの記録データが高効率記録モードで記録されたか否かを判断するのに、第１再生系信号処理回路によりサブコードが正しく検出されているか否かを条件としているので、サブコードが規定される第１の規格のデータフォーマットに基づく記録データによって標準記録モードで記録された第１記録用ディスクと、サブコードが規定されていない第２の規格のデータフォーマットに基づく記録データによって高効率記録モードで記録された第１記録用ディスクとを確実に判別することが出来る。
【０１０８】
更に、高効率記録モードにより記録された第１記録用ディスクにはプログラムマネジメントエリアにディスク情報とは無関係なデータが記録され、このプログラムマネジメントエリアから読み取られるデータを用いて高効率記録モードにより記録されたディスクを判別するようにしているので、高効率記録モードで記録された第１記録用ディスクの判別をより確実にすることが出来る。
【図面の簡単な説明】
【図１】本発明に係る光ディスク装置の一実施例を示す回路ブロック図である。
【図２】ＣＤ−Ｒ／ＲＷのディスクフォーマットを説明する説明図である。
【図３】高効率記録モードのディスクフォーマットを説明する説明図である。
【図４】図１に示す光ディスク装置の使用ディスクの判別方法を説明するフローチャートである。
【符号の説明】
１          光学ヘッド
１ａ        第１レーザーダイオード
１ｂ        第２レーザーダイオード
２          フロントエンド処理回路
５          ＣＤ用デコーダ（第１再生系信号処理回路）
６          サブコード分離・復号手段
７          ＤＶＤ用デコーダ（第２再生系信号処理回路）
１０          ＣＤ用エンコーダ（第１記録系信号処理回路）
１１          ＤＶＤ用エンコーダ（第２記録系信号処理回路）
１２          ＲＡＭ
１３          メモリコントローラ
１４          システム制御マイコン
１５          ライトストラテジ回路
２０          ディスク判別手段
【図１】
2004158100.tif 000003
【図２】
2004158100.tif 000004
【図３】
2004158100.tif 000005
【図４】
2004158100.tif 000006